(57)【要約】【課題】  音声信号の周波数帯域毎の信号レベルを表示するスペアナ表示装置において、演算処理に係る負荷を低く抑えながら、視認性を高める。【解決手段】  カーオーディオ装置１は、スピーカＳＰから出力される音声について、周波数帯域毎の信号レベルをインジケータにより表示するスペアナ表示機能を有する。スペアナ表示機能により、マスターマイコン１００は、音声信号の周波数帯域毎の信号レベルをもとに、各周波数帯域に対応する各インジケータの表示レベルを決定した後、各インジケータの表示レベルを、隣接するインジケータの表示レベルに合わせて調整し、各周波数帯域に対応するインジケータを液晶パネル５に表示させる。【選択図】      図４
2006182170.tif 000002
【特許請求の範囲】
【請求項１】
入力される音声信号の周波数帯域毎の信号レベルに基づいて、各周波数帯域に対応する表示シンボルを表示装置によって表示させる表示制御装置において、
信号レベルの帯域毎に段階的に対応づけられた表示レベルのうち、各周波数帯域の信号レベルに対応する表示レベルを、各周波数帯域の表示レベルとして決定する表示レベル決定手段と、
前記表示レベル決定手段により決定された各周波数帯域の表示レベルを、各周波数帯域に隣接する周波数帯域の表示レベルに合わせて調整する表示レベル調整手段と、
前記表示レベル調整手段により調整された各周波数帯域の表示レベルに従って、各周波数帯域に対応する表示シンボルを前記表示装置によって表示させる表示制御手段と、
を備えることを特徴とする表示制御装置。
【請求項２】
前記表示レベル調整手段は、一つの周波数帯域に隣接する二つの周波数帯域の表示レベルが等しい場合に、当該一つの周波数帯域の表示レベルを、隣接する二つの周波数帯域における表示レベルと一致するように調整することを特徴とする請求項１記載の表示制御装置。
【請求項３】
前記表示装置は、車両に搭載される車載表示装置であることを特徴とする請求項１または２記載の表示制御装置。
【請求項４】
前記車両に搭載されたスピーカに音声信号を出力する車載音響機器と一体に構成されることを特徴とする請求項３記載の表示制御装置。
【請求項５】
入力される音声信号の周波数帯域毎の信号レベルに基づいて、各周波数帯域に対応する表示シンボルを表示装置によって表示させる表示制御方法であって、
信号レベルの帯域毎に段階的に対応づけられた表示レベルのうち、各周波数帯域の信号レベルに対応する表示レベルを、各周波数帯域の表示レベルとして決定し、
決定した各周波数帯域の表示レベルを、各周波数帯域に隣接する周波数帯域の表示レベルに合わせて調整し、
調整した各周波数帯域の表示レベルに従って、各周波数帯域に対応する表示シンボルを前記表示装置によって表示させること、
を特徴とする表示制御方法。
【発明の詳細な説明】
【技術分野】
【０００１】
本発明は、音声信号の周波数帯域毎の信号レベルを表示する表示制御装置、及び、表示制御方法に関する。
【背景技術】
【０００２】
従来、オーディオ装置において、音声信号の信号レベルを周波数帯域毎に量的に表示するスペクトラムアナライザー表示装置（以下、スペアナ表示装置と略記する）が知られている（例えば、特許文献１参照。）。スペアナ表示装置は、例えば、周波数帯域毎に棒形状や点状の表示体の集合からなるインジケータを表示し、インジケータの表示サイズによって信号レベルを表すものである。
【０００３】
スペアナ表示装置においては、信号レベルに忠実にインジケータを表示すると、インジケータのサイズのばらつきが大きくなることがある。この場合、各インジケータの先端を結んで得られるスペアナカーブと呼ばれる曲線が、大きく波打った形状となってしまい、見た目に煩雑な印象を与える上、視認性を欠き、音声信号の全体的な状態が把握しにくいという問題が生じる。特に、インジケータを表示する表示領域が狭い場合や、インジケータが粗いドットの集合により表示される場合には、スペアナカーブが極端に上下する形状となり、視認性が大幅に低下するおそれがあった。そこで、視認性を高めるためにインジケータの表示サイズを調整することがあった。
【０００４】
【特許文献１】特開２００２−４９３８２号公報
【発明の開示】
【発明が解決しようとする課題】
【０００５】
インジケータの表示サイズを調整する方法としては、予め好ましい形状のスペアナカーブを複数記憶した演算処理装置を用い、複数の周波数帯域の信号レベルをもとに演算処理を行って、現在の信号レベルに近似するスペアナカーブを求め、そのスペアナカーブに沿うようにインジケータの表示サイズを決定する方法がある。
【０００６】
オーディオ装置においては、スペアナ表示装置の表示状態とスピーカから出力される音声とが同期していないと、ユーザに違和感を与えてしまう。このため、インジケータの表示サイズに係る演算処理を高速に実行し、表示が音声出力から遅れないようにしなければならない。ところが、上述したようにインジケータの表示サイズを調整するための近似演算等の演算処理は、極めて負荷が高く、高性能の演算処理装置を用いる必要があり、コストの増大を招くという問題があった。また、演算処理装置の性能が限られている場合、要求される処理速度を満たせず、インジケータの表示サイズを調整できないことがあった。
【０００７】
本発明は、上述した事情に鑑みてなされたものであり、音声信号の周波数帯域毎の信号レベルを表示するスペアナ表示装置において、演算処理に係る負荷を低く抑えながら、視認性を高めることを目的としている。
【課題を解決するための手段】
【０００８】
上記課題を解決するため、本発明は、入力される音声信号の周波数帯域毎の信号レベルに基づいて、各周波数帯域に対応する表示シンボルを表示装置によって表示させる表示制御装置において、信号レベルの帯域毎に段階的に対応づけられた表示レベルのうち、各周波数帯域の信号レベルに対応する表示レベルを、各周波数帯域の表示レベルとして決定する表示レベル決定手段と、前記表示レベル決定手段により決定された各周波数帯域の表示レベルを、各周波数帯域に隣接する周波数帯域の表示レベルに合わせて調整する表示レベル調整手段と、前記表示レベル調整手段により調整された各周波数帯域の表示レベルに従って、各周波数帯域に対応する表示シンボルを前記表示装置によって表示させる表示制御手段とを備えることを特徴とする。
【０００９】
本発明において、前記表示レベル調整手段が、一つの周波数帯域に隣接する二つの周波数帯域の表示レベルが等しい場合に、当該一つの周波数帯域の表示レベルを、隣接する二つの周波数帯域における表示レベルと一致するように調整するようにしてもよい。
【００１０】
また、本発明において、前記表示装置が、車両に搭載される車載表示装置である構成としてもよい。さらに、前記車両に搭載されたスピーカに音声信号を出力する車載音響機器と一体に構成される構成としてもよい。
【００１１】
また、本発明は、入力される音声信号の周波数帯域毎の信号レベルに基づいて、各周波数帯域に対応する表示シンボルを表示装置によって表示させる表示制御方法であって、信号レベルの帯域毎に段階的に対応づけられた表示レベルのうち、各周波数帯域の信号レベルに対応する表示レベルを、各周波数帯域の表示レベルとして決定し、決定した各周波数帯域の表示レベルを、各周波数帯域に隣接する周波数帯域の表示レベルに合わせて調整し、調整した各周波数帯域の表示レベルに従って、各周波数帯域に対応する表示シンボルを前記表示装置によって表示させることを特徴とする。
【発明の効果】
【００１２】
本発明によれば、周波数帯域毎の信号レベルを各周波数帯域に対応する表示シンボルによって表示する場合に、シンプルで低負荷の処理を行うことにより、表示シンボルどうしの表示レベルのばらつきを抑え、視認性を高めることができる。
【発明を実施するための最良の形態】
【００１３】
以下、図面を参照しつつ本発明の実施形態について説明する。
図１は、本発明の一実施形態に係るカーオーディオ装置（車載音響機器）１の正面図であり、図２はカーオーディオ装置１の装置本体２の正面図である。図１に示すように、カーオーディオ装置１の正面（フロント部分）には、着脱可能コントロールパネル（以下、ＤＣＰ（Detachable Control Panel）という）３が装置本体２に対して取り外し自在に取り付けられる。
【００１４】
ＤＣＰ３は、車載表示装置及び操作部として機能するものであり、ＤＣＰケース４と、液晶パネル５と、当該液晶パネル５上に設けられたタッチパネル６と、液晶パネル５の左右両側に配設された複数の操作キー７とを有している。液晶パネル５の上下縁部には上フレーム８Ａおよび下フレーム８Ｂが設けられ、これら上フレーム８Ａおよび下フレーム８Ｂにより液晶パネル５が挟持される。また下フレーム８Ｂには液晶パネル５との隣接部分に沿ってほぼ等間隔に凹部９が４箇所形成されている。これら凹部９は、タッチパネル６上の操作箇所を案内するものである。すなわち、図１に示すように、液晶パネル５には、これら４箇所の凹部９に対応して４つの操作ボタンアイコン１０が表示され、ユーザが下フレーム８Ｂ上で指を摺動させれば、液晶パネル５に表示された操作ボタン１０の位置を凹部９の位置から察することができるようになっている。したがって、ユーザは液晶パネル５を見なくとも、タッチパネル６の操作を容易に行うことができる。
【００１５】
さらに、図１に示すように、液晶パネル５の左右両縁のそれぞれには、上下に延びるガイド片１１が設けられている。これらのガイド片１１は、上記下フレーム８Ｂの凹部９と同様に、タッチパネル６上の操作箇所を案内するものである。具体的には、図１に示すように、液晶パネル５の左右両縁付近には、液晶画面５に表示されている表示項目を順次変更するためのスクロール操作アイコン１２が表示されており、ユーザはガイド片１１を頼りにスクロール操作アイコン１２を操作することができる。すなわち、ユーザがガイド片１１に沿ってタッチパネル６上を指で摺摩することで、スクロール操作アイコン１２が操作され、表示項目が順次変更される。
【００１６】
ＤＣＰ３が複数の操作キー７を備えることは上述の通りであるが、これらの操作キー７として、電源・ボリュームキー７Ａ、ソースボタン７Ｂ、オープン・イジェクトボタン７Ｃ、アジャストボタン７Ｄ、モードボタン７Ｅ、サウンドボタン７Ｆ、および、ＩＳＲボタン７Ｇが設けられている。電源・ボリュームキー７Ａはロータリーキースイッチとして構成され押下操作によって電源がオン・オフし、また、回転操作によってボリューム（音量）が調整される。ソースボタン７Ｂは音源ソースを切り換えるための押下式ボタンであり、押下の度に、再生する音源ソースが切り換えられる。音源ソースとしては、装置本体１に内蔵されたラジオ音源やＣＤ（Compact Disc）音源、装置本体２に通信可能に接続されたＣＤチェンジャーやＤＶＤ（Digital Versatile Disk）チェンジャー、および、外部音声入力端子から入力される外部音声などが用いられている。
【００１７】
オープン・イジェクトボタン７ＣはＤＣＰ３パネルを開くための押下式ボタンであり、ＤＣＰ３が閉じた状態でオープン・イジェクトボタン７Ｃが押下されると、ＤＣＰ３が図示せぬリンク機構により装置本体１から押し出されるように傾倒して開状態となり、装置本体２の正面（フロント部分）が露出する。図２に示すように、装置本体２の正面にはＣＤの挿入口２０が設けられており、ＤＣＰ３を開状態とすることで装置本体２へのＣＤの挿脱が可能となる。また、ＤＣＰ３が開いた状態で上記オープン・イジェクトボタン７Ｃを操作した場合には、挿入口２０からのＣＤの排出動作が行われる。
【００１８】
アジャストボタン７Ｄは装置本体２の各種の設定や調整をするときに使用される操作ボタンである。モードボタン７Ｅは例えばＣＤ再生時の再生モードを設定するための押下式ボタンであり、押下の度に、リピート再生やランダム再生といった再生モードが切り替わり設定される。また、当該モードボタン７Ｅが長押操作された場合には、液晶パネル５の表示が標準表示とデザインを省略して視認性を向上させたシンプル表示との間で表示が切り換えられる。サウンドボタン７Ｆは音響に関する各種の設定や調整をするときに使用される操作ボタンである。ＩＳＲボタン７Ｇは現在の音源ソースの選択状態にかかわらず、特定のラジオチャンネルを受信してラジオ音声を出力させるための操作ボタンである。
【００１９】
また、ＤＣＰ３の正面には、車室内の明るさを感知するフォトセンサの受光窓１３と、リモートコントローラからの信号を受光するための受光窓１４とが設けられている。本カーオーディオ装置１にあっては、上記フォトセンサで感知した車室内の明るさに応じて液晶パネル５のバックライトの輝度が調整されるようになっている（いわゆる、オートディマー機能）。
【００２０】
このＤＣＰ３は、上記のように、装置本体２から取り外し可能になっており、その構造について説明すると、図３に示すように、ＤＣＰ３の背面には、２つの係合突起３０Ａ、３０Ｂと１つの係合受け３１とが形成されると共にコネクタ接点３２が形成され、また、図２に示すように、装置本体２の正面には、上記ＤＣＰ３を取り付けるための支持プレート２１が設けられ、この支持プレート２１上に２つの係合受け２２Ａ、２２Ｂと、１つの係合突起２３と、コネクタ接点２４とが形成されている。この構成の下、ＤＣＰ３の背面の係合受け３１を装置本体２の支持プレート２１上の係合突起２３に押し込んで、ＤＣＰ３の一端側を装置本体２に係合させた後、ＤＣＰ３の背面の係合突起３０Ａ、３０Ｂ及びコネクタ接点３２をそれぞれ装置本体２の係合受け２２Ａ、２２Ｂ及びコネクタ接点２４に押し込んで係合させることで、ＤＣＰ３が装置本体２の正面に取り外し自在に取り付けられる。
【００２１】
ＤＣＰ３が装置本体２に取り付けられた状態にあっては、上記コネクタ接点３２および２４を介してＤＣＰ３と装置本体２との間で信号の送受が可能となり、これらＤＣＰ３と装置本体２との間で操作キー７の操作に応じた操作信号や、液晶パネル５へ各種情報を表示するための信号等が送受される。
【００２２】
次いで、本カーオーディオ装置１の機能的構成について図４を参照して詳述する。図４はカーオーディオ装置１の装置本体２およびＤＣＰ３の機能的構成を示すブロック図である。この図に示すように、カーオーディオ装置１の装置本体２は、マスターマイコン１００と、ラジオ受信部１１０と、ＣＤ再生部１２０と、音声出力部１３０とを備えている。
マスターマイコン１００は、装置本体２の各部およびＤＣＰ３の制御を実行するものであり、ＥＥＰＲＯＭやＲＡＭ等の記憶手段が内蔵され、当該ＥＥＰＲＯＭには、制御用プログラムやメニュー画面などの各種表示用データが格納されている。なお、図示を省略しているが、マスターマイコン１００には、車両のバッテリに直結されたバックアップ電源と、キースイッチを介してバッテリに接続されたＡＣＣ電源とが供給されている。したがって、ＡＣＣ電源がオフの間は、バックアップ電源がマスターマイコン１００に供給され、ＲＡＭなどに格納したデータが保持される。
【００２３】
ラジオ受信部１１０は、ＡＭ／ＦＭ波のラジオ放送を受信するものであり、アンテナ１１１と、チューナ回路１１２とを備え、チューナ回路１１２がマスターマイコン１００の指示に基づいて所定チャンネルのラジオ放送を受信し、音声信号を音声出力部１２０に出力する。ＣＤ再生部１２０は、マスターマイコン１００の制御の下、ＣＤに記録されている音楽データを読み取り、音声信号を音声出力部１３０に出力するＣＤ読取部１２１を備えている。
【００２４】
音声出力部１３０は、マスターマイコン１００の制御の下、ラジオ受信部１１０及びＣＤ再生部１２０の各々からの音声信号に基づいて音声を出力するものであり、ＤＳＰ（Digital Signal Processor）１３１と、音量を調整する電子ボリューム回路１３２とを備えている。ＤＳＰ１３１は、マスターマイコン１００の制御の下、音声信号に対して、例えばフィルタ処理やイコライザ処理、音声信号が符号化されている場合にはデコード処理といったデジタル音声信号処理を施して電子ボリューム回路１３２に出力するものであり、電子ボリューム回路１２１は、マスターマイコン１００の制御の下、再生音量を調整すべく、音声信号をＤ／Ａ変換した後に信号の振幅レベルを調整して出力するものである。また、ＤＳＰ１３１には、上記ラジオ受信部１１０及びＣＤ再生部１２０のほかにも、例えば図示せぬカーナビゲーション装置といった外部機器からの外部音声信号が入力可能に構成されている。
【００２５】
ここで、本カーオーディオ装置１には、例えば２線の同軸ケーブルからなるＲＣＡコネクタを介して外部アンプユニット１６０が接続されており、上記電子ボリューム回路１３２から出力された音声信号がＲＣＡコネクタを介して外部アンプユニット１６０に入力される。外部アンプユニット１６０は複数のスピーカＳＰが接続可能に構成されており、接続可能なスピーカＳＰの最大数（本実施形態では６）だけのアンプ回路（図示せず）を備え、電子ボリューム回路１３２から入力された音声信号を増幅して、現在接続されている各スピーカＳＰに出力する。なお、アンプ回路やスピーカを装置本体２にも内蔵し、外部アンプユニット１６０を介さずに音声を出力可能に構成しても良いことは勿論である。
【００２６】
ＤＣＰ３は、上記のように、液晶パネル５とタッチパネル６と操作キー７とを備える他、さらに、ＤＣＰ３の各部を制御する表示マイコン１５１と、当該表示マイコン１５１の指示に基づいて液晶パネル５に各種情報表示を行うＬＣＤドライバ１５２とを有している。ＤＣＰ３が装置本体２に装着された場合には、ＤＣＰ３の表示マイコン１５１と装置本体２のマスターマイコン１００とが上記コネクタ接点２４、３２により電気的に接続され、各種信号の授受を行う。例えば操作キー７の一つである電源・ボリュームキー７Ａ（図１参照）が回転操作され、ユーザによりボリューム調整が行われた場合には、かかる回転操作量が図示せぬエンコーダにより検出され、表示マイコン１５１からマスターマイコン１００に送信される。この結果、マスターマイコン１００は、再生音量が電源・ボリュームキー７Ａの回転操作量に応じたボリュームとなるように電子ボリューム回路１３２を制御することとなる。
【００２７】
タッチパネル６には抵抗膜方式のタッチパネルが用いられ、その表面に手などが触れた場合、その接触点の位置座標に応じた電圧の信号が表示マイコン１５１に出力され、かかる信号に基づいて表示マイコン１５１によって接触点座標が特定される。これにより、液晶パネル５に表示されているどの操作ボタンが操作されたかが特定され、その操作に応じた動作が実行される。
【００２８】
このように構成されるカーオーディオ装置１は、スピーカＳＰから出力される音声の信号レベルを周波数帯域毎に表示するスペクトラムアナライザー表示機能（以下、スペアナ表示機能と略記する）を有する。ここで、カーオーディオ装置１のスペアナ表示機能及び当該機能に係る動作について説明する。なお、スペアナ表示機能の実行時において、マスターマイコン１００は、表示レベル決定手段、表示レベル調整手段、及び、表示制御手段として機能する。
【００２９】
図５は、スペアナ表示機能により、マスターマイコン１００により実行される表示更新処理を示すフローチャートである。図６（ａ）及び（ｂ）は、スペアナ表示機能により液晶パネル５に表示されるスペアナ表示画面の構成例を示す図であって、図６（ａ）は表示更新処理によりインジケータの表示レベルを調整しない場合の例を示し、図６（ｂ）は表示更新処理によりインジケータの表示レベルを調整した場合の例状態を示す。
【００３０】
まず、スペアナ表示機能の概略について説明する。
カーオーディオ装置１は、スペアナ表示機能によって液晶パネル５にスペアナ表示画面を表示させる。スペアナ表示画面においては、予め設定された複数の周波数帯域毎に、各周波数帯域における信号レベルを示すインジケータが配置される。
【００３１】
図６（ａ）及び（ｂ）に示す例では、音声信号が１７の周波数帯（BAND１〜１７）に分割され、各周波数帯に対応するインジケータが、図中左側を低周波数側とし、図中右側を高周波数側として、横方向に一列に並べて表示される。これら各インジケータは、図６（ａ）及び（ｂ）中のBAND４〜６に破線で示すように、１０段階の高さ（表示レベル）で表示可能である。なお、BAND１〜３及び７〜１７の各インジケータについては上記破線の記載を省略するが、これらのインジケータも、BAND４〜６と同様に１０段階の表示レベルで表示される。
【００３２】
そして、BAND１〜１７のインジケータは、対応する周波数帯域における音声信号の信号レベルに応じた表示レベルで表示され、スペアナ表示画面を一覧することで、音声信号の状態を容易に把握できるようになっている。
【００３３】
このスペアナ機能を実現するため、ＤＳＰ１３１は、上記デジタル音声信号処理を施した処理後の音声信号を、マスターマイコン１００に出力する。マスターマイコン１００は、ＤＳＰ１３１から入力される音声信号を所定の周期（例えば、５０ミリ秒）でサンプリングして、予め設定された複数の周波数帯域毎の信号レベルを検出する。そして、マスターマイコン１００は、検出した周波数帯域毎の信号レベルをもとに、各周波数帯域におけるインジケータの表示レベルを決定する。上述のように、液晶パネル５に表示されるインジケータは複数段階（例えば、１０段階）の表示レベルで表示され、表示レベルの各段階は、所定幅で設定された信号レベルの帯域に対応づけられている。マスターマイコン１００は、各周波数帯域の信号レベルが属する信号レベルの帯域を判定し、その帯域に対応する表示レベルを、各周波数帯域の表示レベルとして決定する。
【００３４】
各周波数帯域の表示レベルを決定した後、マスターマイコン１００は表示更新処理を実行し、液晶パネル５にスペアナ表示画面を表示するための表示情報を生成して表示マイコン１５１に出力し、表示マイコン１５１及びＬＣＤドライバ１５２によって、液晶パネル５にスペアナ表示画面を表示させ、或いはスペアナ表示画面の表示を更新させる。
【００３５】
ここで、図５のフローチャートを参照して、表示更新処理について説明する。
まず、マスターマイコン１００は、ＤＳＰ１３１から入力される音声信号をサンプリングして周波数帯域毎の信号レベルを検出し、検出した周波数帯域毎の信号レベルをもとに、各周波数帯域の表示レベルを決定して、表示更新処理を開始する（ステップＳ１）。
【００３６】
次に、マスターマイコン１００はパラメータＮを設定し、パラメータＮの初期値として２をセットし（ステップＳ２）、バンドＮ（低周波数側から数えてＮ番目の周波数帯域）を処理対象に設定する（ステップＳ３）。
【００３７】
そして、マスターマイコン１００は、ステップＳ１で決定した表示レベルに基づき、バンドＮ-1の表示レベルとバンドＮ+1の表示レベルとが等しいか否かを判別する（ステップＳ４）。ここで、バンドＮ-1の表示レベルとバンドＮ+1の表示レベルとが異なる場合（ステップＳ４；Ｎｏ）、マスターマイコン１００は後述するステップＳ７に移行する。
【００３８】
また、バンドＮ-1の表示レベルとバンドＮ+1の表示レベルとが等しい場合（ステップＳ４；Ｙｅｓ）、マスターマイコン１００は、バンドＮ-1の表示レベルとバンドＮの表示レベルとが等しいか否かを判別する（ステップＳ５）。
ここで、バンドＮ-1の表示レベルとバンドＮの表示レベルとが等しい場合（ステップＳ５；Ｙｅｓ）、マスターマイコン１００は後述するステップＳ７に移行する。また、バンドＮ-1の表示レベルとバンドＮの表示レベルとが異なる場合（ステップＳ５；Ｎｏ）、マスターマイコン１００は、バンドＮの表示レベルをバンドＮ-1の表示レベルと同じ表示レベルに変更して（ステップＳ６）、ステップＳ７に移行する。
【００３９】
ステップＳ７において、マスターマイコン１００は、パラメータＮをインクリメント（＋１）し、続いて、パラメータＮの値が最大値を超えたか否かを判別する（ステップＳ８）。この最大値とは、スペアナ表示画面中のインジケータの数を指す。つまり、パラメータＮの値が最大値を超えた場合とは、スペアナ表示画面に表示される全ての周波数帯域について処理が完了した場合である。
パラメータＮが最大値を超えていない場合（ステップＳ８；Ｎｏ）、マスターマイコン１００はステップＳ３の動作に戻り、上記処理を繰り返し実行する。また、パラメータＮが最大値を超えた場合（ステップＳ８；Ｙｅｓ）、マスターマイコン１００は、上記処理により調整された後の表示レベルに基づいて、スペアナ表示画面を表示するための表示情報を生成して表示マイコン１５１に出力し、液晶パネル５にスペアナ表示画面を表示させ、或いは液晶パネル５に表示中のスペアナ表示画面を更新させる（ステップＳ９）。
【００４０】
この図５に示す表示更新処理は、マスターマイコン１００がＤＳＰ１３１から入力される音声信号をサンプリングする毎に実行され、一回のサンプリングに対応して一つのスペアナ表示画面が表示される。なお、液晶パネル５においてスペアナ表示画面を更新するタイミングは、サンプリングの周期（例えば、５０ミリ秒）に同期させることが望ましい。このため、上記表示更新処理のステップＳ９で、スペアナ表示画面の更新のタイミングをサンプリングの周期に合わせるため、適当な待ち時間を設けてもよい。
【００４１】
図５のフローチャートに示す表示更新処理により、スペアナ表示画面におけるインジケータの表示レベルは、次のように調整される。
図６（ａ）に例示するスペアナ表示画面は、ＤＳＰ１３１からマスターマイコン１００に入力される音声信号の信号レベルに対応する表示レベルを調整せず、インジケータを表示したと仮定した場合の画面である。図６（ａ）のスペアナ表示画面においては、BAND５及びBAND１３が突出しており（表示レベル１０）、また、BAND９の表示レベルが極端に低い（表示レベル１）。このように、あるインジケータの高さが両隣のインジケータと異なり、かつ、当該両隣のインジケータの高さが等しい場合、インジケータのサイズのばらつきが大きく見えてしまう。また、各インジケータの頂点により描かれるスペアナカーブが極端に上下しているので、全体的に煩雑な印象が感じられ、BAND１〜１７の全体的な状態がわかりにくい。
【００４２】
これに対し、図５の表示更新処理によって表示レベルが調整されると、スペアナ表示画面は図６（ｂ）に示すようになる。図６（ｂ）のスペアナ表示画面では、BAND５のインジケータの高さがBAND４及びBAND６の高さに合わせて下げられ、BAND９のインジケータの高さがBAND８及びBAND１０の高さに合わせて上げられ、BAND１３のインジケータの高さがBAND１２及びBAND１４の高さに合わせて下げられている。これにより、スペアナカーブはなだらかな曲線となり、BAND１〜１７の全体を容易に把握できる。
【００４３】
また、図６（ｂ）のスペアナ表示画面では、図６（ａ）のスペアナ表示画面と比べてスペアナカーブの曲率が抑えられているものの、BAND４〜６近傍及びBAND１２〜１４近傍で極大となり、BAND１、BAND１７及びBAND８〜１０近傍で極小となるという点で、図６（ａ）のスペアナ表示画面と共通している。このように、図５の表示更新処理によって表示レベルが調整されても、BAND１〜１７の全体的な特徴は損なわれていない。
【００４４】
以上のように、本発明の実施形態にかかるカーオーディオ装置１は、ＤＳＰ１３１によって処理された音声信号の周波数帯域毎の信号レベルを、各周波数帯域に対応するインジケータによって表示するスペアナ表示機能を有し、スペアナ表示機能の実行時に、マスターマイコン１００が表示更新処理を実行して、各インジケータの表示レベルを調整する。この表示更新処理により、各周波数帯域のインジケータの表示レベルが、隣接するインジケータの表示レベルに合わせて調整される。
このため、スペアナ表示画面においては、表示レベルが突出したインジケータ、及び、表示レベルが極端に低いインジケータが、隣接するインジケータに合わせた高さに調整される。これにより、スペアナ表示画面において、インジケータの表示レベルのばらつきが抑えられ、視認性が向上し、スペアナ表示画面全体の状態を把握しやすくなるという効果が得られる。
【００４５】
さらに、図５に示す表示更新処理は、少数のインジケータの表示レベルを比較するという、非常にシンプルで低負荷の処理である。従って、特に高性能の演算処理装置を用いなくても、スペアナ表示画面を更新する周期（例えば、５０ミリ秒）の間に、インジケータの表示レベルの調整を完了することができる。
【００４６】
また、カーオーディオ装置１により実行されるスペアナ表示画面の表示更新処理においては、処理対象のインジケータの表示レベルが両隣のインジケータの表示レベルと異なり、かつ、当該両隣のインジケータの表示レベルが等しい場合に、処理対象のインジケータの表示レベルを、両隣のインジケータの表示レベルと一致するよう調整する。このため、インジケータの表示レベルのばらつきを感じさせる部分のみを調整することで、処理の負荷を抑え、スペアナ表示画面の視認性を効率よく向上させることができる。また、表示レベルが特に突出したインジケータ及び著しく低いインジケータについてのみ、表示レベルを調整するので、スペアナ表示画面全体としての特徴が損なわれないという利点がある。
【００４７】
なお、上述した実施形態は、本発明の一実施態様を示すものであり、本発明の範囲内で任意に変形及び応用可能であることは勿論である。
例えば、上記実施形態では、図６（ｂ）に示すように、処理対象のインジケータの表示レベルを両隣のインジケータの表示レベルと同じ表示レベルに変更するものとしたが、本発明はこれに限定されず、例えば処理対象のインジケータの表示レベルと、その両隣のインジケータの表示レベルとの平均値を求め、処理対象のインジケータの表示レベルを求めた平均値に変更するようにしてもよい。この場合、スペアナ表示画面全体としての特徴をできるだけ損なわないように、表示レベルを調整できる。
【００４８】
また、例えば、上述した実施形態では、スペアナ表示機能によって液晶パネル５に棒状のインジケータを表示する構成を例示したが、インジケータの形状は棒状に限定されず、例えば、点状の表示体の集合からなる構成としてもよい。また、カーオーディオ装置１のスペアナ表示機能により、カーオーディオ装置１とは別体として構成される他の表示装置にインジケータを表示させる構成としてもよい。さらに、図６（ａ）及び（ｂ）に例示したBAND１〜１７の各周波数帯域の帯域幅は必ずしも均一でなくてもよく、周波数帯域の数及びインジケータの数についても特に制限はなく、液晶パネル５の表示サイズ等に応じて決定すればよい。
さらにまた、上記実施形態におけるカーオーディオ装置１は、主としてオーディオの再生出力を行うものとして説明したが、例えばカーナビゲーション装置において、カーオーディオ装置１の機能を実装することが可能であり、この場合も本発明を適用することが可能である。
【図面の簡単な説明】
【００４９】
【図１】本実施形態に係る車載機器の一態様たるカーオーディオ装置の正面図である。
【図２】カーオーディオ装置の装置本体の正面図である。
【図３】カーオーディオ装置のＤＣＰの裏面側を示す正面図である。
【図４】カーオーディオ装置の装置本体およびＤＣＰの機能的構成を示すブロック図である。
【図５】カーオーディオ装置において実行される表示更新処理を示すフローチャートである。
【図６】カーオーディオ装置のスペアナ表示機能により表示されるスペアナ表示画面の構成例を示す図であり、（ａ）は図５の表示更新処理による調整を行わない場合の例を示し、（ｂ）は図５の表示更新処理を行った場合の例を示す。
【符号の説明】
【００５０】
１  カーオーディオ装置（車載音響機器）
３  ＤＣＰ（表示装置、車載表示装置）
４  ＤＣＰケース
５  液晶パネル
６  タッチパネル
７  操作キー
１００  マスターマイコン（表示レベル決定手段、表示レベル調整手段、表示制御手段）
１１０  ラジオ受信部
１２０  ＣＤ再生部
１３０  音声出力部
１３１  ＤＳＰ
１３２  電子ボリューム回路
１５１  表示マイコン
１５２  ＬＣＤドライバ
１６０  外部アンプユニット
【図１】
2006182170.tif 000003
【図２】
2006182170.tif 000004
【図３】
2006182170.tif 000005
【図４】
2006182170.tif 000006
【図５】
2006182170.tif 000007
【図６】
2006182170.tif 000008